(57)【要約】【課題】送信デバイスや受信デバイスのパッケージとＷＤＭユニットとを、等角度に配置された３点で溶接することが可能な光学モジュールを提供する。【解決手段】光学モジュール１Ａは、軸Ｚの方向に延びており、光路Ｌ１を内部に有するＷＤＭユニット１０と、ＷＤＭユニット１０の側面１０ａ，１０ｂにそれぞれ接合された送信デバイス３０及び受信デバイス４０と、光路Ｌ１と送信デバイス３０及び受信デバイス４０とを互いに光結合させるＷＤＭフィルタ１１，１２とを備える。ＷＤＭユニット１０は、ＷＤＭフィルタ１１，１２を搭載する斜面１５，１６を有する。斜面１５，１６は、送信デバイス３０が設けられたＷＤＭユニット１０の側面１０ａと光路Ｌ１との間に凸状の段差部分１５ａ，１６ａを有しており、該段差部分１５ａ，１６ａが側面１０ａに達している。【選択図】図２
2012027329.tif 000002
【特許請求の範囲】
【請求項１】
所定の軸方向に延びており、該所定の軸方向に沿った光路を内部に有するユニットと、
前記ユニットの前記所定の軸方向に沿う側面に接合された第１の光デバイスと、
前記第１の光デバイスとは反対側の前記ユニットの側面に接合された第２の光デバイスと、
前記ユニットに設置され、前記光路と前記第１の光デバイスとを互いに光結合させる第１の光学部品と、
前記ユニットに設置され、前記光路と前記第２の光デバイスとを互いに光結合させる第２の光学部品と
を備え、
前記ユニットは、前記第１の光学部品を搭載する第１の斜面、及び前記第２の光学部品を搭載する第２の斜面を有し、
前記第１及び第２の斜面は、前記光路と交差しており、且つ前記第１及び第２の光学部品に向けてそれぞれ傾斜しており、
前記第１及び第２の斜面が、前記第１の光デバイスが設けられた前記ユニットの前記側面と前記光路との間に凸状の段差部分を有しており、該段差部分が該側面に達していることを特徴とする、光学モジュール。
【請求項２】
前記第１及び第２の光デバイスが円筒状の金属製パッケージを有しており、
前記金属製パッケージと前記ユニットの前記側面とが、等角度に位置する３点でレーザ溶接されていることを特徴とする、請求項１に記載の光学モジュール。
【請求項３】
前記段差部分の端面の平面形状が円弧状の部分を含み、
前記光学部品の平面形状が矩形状であり、
前記光学部品の２つの角が前記段差部分の前記端面に当接していることを特徴とする、請求項１または２に記載の光学モジュール。
【請求項４】
前記第１及び第２の光学部品がＷＤＭフィルタであることを特徴とする、請求項１〜３のいずれか一項に記載の光学モジュール。
【請求項５】
前記ユニットにおいて前記光路上に設置された光学アイソレータを更に備え、
前記ユニットは、前記光路と交差しており前記光学アイソレータを搭載する第３の斜面を更に有し、
前記第３の斜面が、前記第１の光デバイスが設けられた前記ユニットの前記側面と前記光路との間に凸状の段差部分を有しており、該段差部分が該側面に達していることを特徴とする、請求項１〜４のいずれか一項に記載の光学モジュール。
【請求項６】
前記光学アイソレータが前記第１の光学部品と前記第２の光学部品との間に配置されていることを特徴とする、請求項５に記載の光学モジュール。
【請求項７】
前記第１及び第２の斜面は、一本の溝をカットソーを用いて形成し、該一本の溝に沿って該一本の溝より深い有限の溝をエンドミルを用いて形成することにより形成されたことを特徴とする、請求項１〜６のいずれか一項に記載の光学モジュール。
【発明の詳細な説明】
【技術分野】
【０００１】
本発明は、ＷＤＭフィルタを搭載する光学モジュールに関する。
【背景技術】
【０００２】
従来の一般的な光学モジュールとして、スリーブ（ＷＤＭユニット）に平面を形成してＷＤＭフィルタ等の光学部品を搭載するものがある。特許文献１には、ＧＥ−ＰＯＮなどのＯＬＴ／ＯＮＵ用の一心双方向光デバイス（デュプレクサ）が記載されている。この文献に記載されたデバイスは、送信デバイスや受信デバイス、或いはピグテールなどを接合するＷＤＭユニットを備える。このＷＤＭユニットの内部には、光ファイバ端面から延びる空洞状の光通過孔が形成されている。更に、ＷＤＭユニットは、この光通過孔と交差する平らな斜面と、斜面により反射した光の光軸に交差する平面とを有する。そして、斜面上にＷＤＭフィルタが搭載され、平面上にカットフィルタが搭載される。
【０００３】
ＷＤＭフィルタが搭載される斜面は、光通過孔に対する傾斜角度の精度や加工性を考慮し、カットソーを用いてＷＤＭユニットの母材を切り通すことによって形成される。ＷＤＭフィルタは、該斜面上において、光通過孔から挿入された治具により位置決めされ、該斜面に接着される。
【０００４】
また、特許文献２には、一つの送信デバイス及び２つの受信デバイスを備えるＧ−ＰＯＮ用の一心双方向光デバイス（トリプレクサ）が記載されている。このデバイスにおいても特許文献１と同様に、ＷＤＭフィルタを搭載する２つの斜面がカットソーを用いて形成されている。
【０００５】
また、特許文献３に示される光モジュールでは、光通過孔と連通してテーパ状に拡径する孔の側面（曲面）上に、ＷＤＭフィルタの４つの角を点で接触させて固定している。
【０００６】
また、特許文献４に記載された光モジュールのように、スリーブとは別に用意されたブロック状の部材にＷＤＭフィルタを貼り付けた後、この部材をスリーブに嵌め込む方法もある。
【先行技術文献】
【特許文献】
【０００７】
【特許文献１】特開２００４−３５４７５２号公報
【特許文献２】特開２００９−０３７１７４号公報
【特許文献３】特開２０１０−０５４９８４号公報
【特許文献４】特開２００４−１２８４４号公報
【特許文献５】特表２００３−５２４７８９号公報
【発明の概要】
【発明が解決しようとする課題】
【０００８】
光学モジュールにおいては、上述したような構造のスリーブ（ＷＤＭユニット）の側面に、送信デバイスや受信デバイスが接合される。送信デバイスや受信デバイスはいわゆるＣＡＮパッケージといった金属製のパッケージを有しており、このような金属製のパッケージをＷＤＭユニットに強固に固定する為に、ＹＡＧ溶接技術が用いられる場合がある。すなわち、円筒状のパッケージの一端面を、ＷＤＭユニット側面に形成された平面に対してＹＡＧ溶接により固定する。その際、接合強度の観点から、パッケージの縁に等角度に配置された３点で溶接することが望ましい。しかし、ＷＤＭユニットの形状によっては、当該３点のうち一点において溝が形成されていることにより、３点での溶接が困難な場合がある。
【０００９】
本発明は、このような問題点に鑑みてなされたものであり、送信デバイスや受信デバイスのパッケージとＷＤＭユニットとを、等角度に配置された３点で溶接することが可能な光学モジュールを提供することを目的とする。
【課題を解決するための手段】
【００１０】
上述した課題を解決するために、本発明による光学モジュールは、所定の軸方向に延びており、該所定の軸方向に沿った光路を内部に有するユニットと、ユニットの所定の軸方向に沿う側面に接合された第１の光デバイスと、第１の光デバイスとは反対側のユニットの側面に接合された第２の光デバイスと、ユニットに設置され、光路と第１の光デバイスとを互いに光結合させる第１の光学部品と、ユニットに設置され、光路と第２の光デバイスとを互いに光結合させる第２の光学部品とを備え、ユニットは、第１の光学部品を搭載する第１の斜面、及び第２の光学部品を搭載する第２の斜面を有し、第１及び第２の斜面は、光路と交差しており、且つ第１及び第２の光学部品に向けてそれぞれ傾斜しており、第１及び第２の斜面が、第１の光デバイスが設けられたユニットの側面と光路との間に凸状の段差部分を有しており、該段差部分が該側面に達していることを特徴とする。
【００１１】
また、光学モジュールは、第１及び第２の光デバイスが円筒状の金属製パッケージを有しており、金属製パッケージとユニットの側面とが、等角度に位置する３点でレーザ溶接されていることを特徴としてもよい。
【００１２】
また、光学モジュールは、段差部分の側面の平面形状が円弧状の部分を含み、光学部品の平面形状が矩形状であり、光学部品の２つの角が段差部分の側面に当接していることを特徴としてもよい。
【００１３】
また、光学モジュールは、第１及び第２の光学部品がＷＤＭフィルタであることを特徴としてもよい。
【００１４】
また、光学モジュールは、ユニットにおいて光路上に設置された光学アイソレータを更に備え、ユニットは、光路と交差しており光学アイソレータを搭載する第３の斜面を更に有し、第３の斜面が、第１の光デバイスが設けられたユニットの側面と光路との間に凸状の段差部分を有しており、該段差部分が該側面に達していることを特徴としてもよい。
【００１５】
また、光学モジュールは、光学アイソレータが第１の光学部品と第２の光学部品との間に配置されていることを特徴としてもよい。
【００１６】
また、光学モジュールは、第１及び第２の斜面は、一本の溝をカットソーを用いて形成し、該一本の溝に沿って該一本の溝より深い有限の溝をエンドミルを用いて形成することにより形成されたことを特徴としてもよい。
【発明の効果】
【００１７】
本発明による光学モジュールによれば、送信デバイスや受信デバイスのパッケージとスリーブとを、等角度に配置された３点で溶接することができる。
【図面の簡単な説明】
【００１８】
【図１】本発明の一実施形態に係る光学モジュールの構成を示す側面図である。
【図２】ＷＤＭユニットの内部構造を示す切欠斜視図である。
【図３】第１及び第２の斜面が形成される様子を概略的に示す側断面図である。
【図４】従来の光学モジュールが有する課題を説明するための図であり、ＷＤＭユニットの側面と、該側面に接合される光デバイスの輪郭とを示している。
【図５】（ａ）ＷＤＭユニットが有する斜面にＷＤＭフィルタが設置された様子を概略的に示す断面図である。（ｂ）ＷＤＭユニットの側面に送信デバイスが接合される様子を概略的に示す図である。
【図６】エンドミル、端面、及びＷＤＭフィルタの相互の位置関係を示す図である。
【図７】一変形例に係るＷＤＭユニットの構成を示す切欠き斜視図である。
【図８】一変形例に係るＷＤＭユニットの側断面図である。
【発明を実施するための形態】
【００１９】
以下、添付図面を参照しながら本発明による光学モジュールの実施の形態を詳細に説明する。なお、図面の説明において同一の要素には同一の符号を付し、重複する説明を省略する。また、以下の説明において、光学モジュールの光ファイバが取り付けられる端を上端といい、反対側の端を下端ということがある。
【００２０】
図１は、本発明の一実施形態に係る光学モジュール１Ａの構成を示す側面図である。この光学モジュール１Ａは、例えば１０Ｇ−ＥＰＯＮのＯＬＴ用光デバイス等に適用される。光学モジュール１Ａは、集光レンズ（図示せず）及び光ファイバ３によって集光光学系が構成された筐体としてのＷＤＭユニット１０と、それぞれの集光点に対して調芯固定された二つの送信デバイス２０，３０及び一つの受信デバイス４０とを備える。ＷＤＭユニット１０は、光ファイバ３の光軸方向と一致する所定の軸Ｚの方向に延びており、該所定の軸Ｚの方向に沿った光路を内部に有する。光ファイバ３は、軸Ｚの方向におけるＷＤＭユニット１０の一端に取り付けられる。
【００２１】
送信デバイス２０，３０及び受信デバイス４０は、いわゆるＣＡＮパッケージといった金属製の円筒状パッケージを各々有する。送信デバイス２０，３０には送信用のレーザダイオードが内臓され、受信デバイス４０には受信用のフォトダイオードが内臓されている。送信デバイス２０は、軸Ｚの方向におけるＷＤＭユニット１０の他端に接合されている。送信デバイス２０のレーザダイオードは、送信デバイス２０に内臓されるレンズ等を介してＷＤＭユニット１０の光路と光学的に結合されている。送信デバイス３０は、本実施形態における第１の光デバイスである。送信デバイス３０は、ＷＤＭユニット１０の所定の軸Ｚに沿う側面１０ａに接合されている。送信デバイス３０のレーザダイオードは、送信デバイス３０に内臓されるレンズ等を介してＷＤＭユニット１０の光路と光学的に結合されている。受信デバイス４０は、送信デバイス３０とは反対側のＷＤＭユニット１０の側面１０ｂに接合されている。受信デバイス４０のレーザダイオードは、受信デバイス４０に内臓されるレンズ等を介してＷＤＭユニット１０の光路と光学的に結合されている。
【００２２】
図２は、ＷＤＭユニット１０の内部構造を示す切欠斜視図である。図２に示されるように、ＷＤＭユニット１０は、軸Ｚに沿った光路Ｌ１を内部に有する。また、ＷＤＭユニット１０には、光路Ｌ１と交差する斜面１５（第１の斜面）及び斜面１６（第２の斜面）が形成されている。斜面１５及び１６には、ＷＤＭフィルタ１１及び１２がそれぞれ載置される。斜面１５は送信デバイス３０に向けて傾斜しており、斜面１６は受信デバイス４０に向けて傾斜している。
【００２３】
ＷＤＭフィルタ１１は、本実施形態における第１の光学部品であり、光路Ｌ１と送信デバイス３０とを互いに光結合させる。ＷＤＭフィルタ１２は、本実施形態における第２の光学部品であり、光路Ｌ１と受信デバイス４０とを互いに光結合させる。斜面１５が光路Ｌ１に対して角度４５°でもって形成されていることにより、ＷＤＭフィルタ１１の光反射面と光路Ｌ１とは４５°の角度を成す。一方、斜面１６が光路Ｌ１に対して角度−４５°（すなわち、斜面１５とは反対側に４５°）でもって形成されていることにより、ＷＤＭフィルタ１２の光反射面と光路Ｌ１とは−４５°の角度を成す。したがって、送信デバイス３０から出力された送信光（光路Ｌ２）は、ＷＤＭフィルタ１１によって直角に反射され、光路Ｌ１を通って光ファイバ３へ出力される。また、光ファイバ３から光路Ｌ１を通って入力された受信光は、ＷＤＭフィルタ１２によって直角に反射され、光路Ｌ３を通って受信デバイス４０に入射する。
【００２４】
また、ＷＤＭユニット１０には、光路Ｌ３と交差するようにカットフィルタ搭載面１７が形成されている。カットフィルタ搭載面１７には、カットフィルタ１３が載置される。カットフィルタ１３の直径は、例えば１．０ｍｍである。
【００２５】
また、ＷＤＭユニット１０の内部には光通過孔１８が形成されている。光通過孔１８は、光ファイバ３（図１）先端の保持部材が挿入固定される第１の部分１８ａと、第１の部分１８ａに対して下端側に形成され、第１の部分１８ａと連通する第２の部分１８ｂと、第２の部分１８ｂに対して下端側に形成され、第２の部分１８ｂと連通する第３の部分１８ｃとを有する。これらの部分１８ａ〜１８ｃは、軸Ｚを中心とする円筒状に形成されており、第１の部分１８ａの内径が最も大きく、第３の部分１８ｃの内径が最も小さい。第２の部分１８ｂの内部の軸Ｚ上（光路Ｌ１上）には、集光レンズ１９が設置されている。
【００２６】
斜面１５は、ＷＤＭユニット１０の側面１０ａと光路Ｌ１との間に凸状の段差部分１５ａを有する。段差部分１５ａは、斜面１５の途中から側面１０ａに達しており、その端面１５ｂは斜面１５のフィルタ搭載面１５ｃに対して垂直である。ＷＤＭフィルタ１１は、この端面１５ｂに当接することにより位置決めされる。
【００２７】
斜面１６は、ＷＤＭユニット１０の側面１０ａと光路Ｌ１との間に凸状の段差部分１６ａを有する。段差部分１６ａは、斜面１６の途中から側面１０ａに達しており、その端面１６ｂは斜面１６のフィルタ搭載面１６ｃに対して垂直である。ＷＤＭフィルタ１２は、この端面１６ｂに当接することにより位置決めされる。
【００２８】
ここで、斜面１５及び１６について更に詳しく説明する。図３は、斜面１５及び１６が形成される様子を概略的に示す側断面図である。図３（ａ）に示されるように、まず、斜面１６の段差部分１６ａのための斜面５１が形成される（矢印Ａ１）。この斜面５１は、ＷＤＭフィルタ１２が設置されるフィルタ載置面１６ｃ（後に形成）と平行に、フィルタ載置面１６ｃから所定の距離ｈ１だけ離れた位置に形成される。この斜面５１は、例えばカットソーを用いて一本の溝として形成され、ＷＤＭユニット１０の側面１０ｂから側面１０ａにわたって直線的に形成される。次に、ＷＤＭフィルタ１２が設置される斜面（フィルタ載置面１６ｃ）が形成される（矢印Ａ２）。このフィルタ載置面１６ｃは、例えばエンドミルを用いて加工され、ＷＤＭユニット１０の側面１０ｂからＷＤＭユニット１０内部の所定の位置（端面１６ｂ）にわたる有限の溝として形成される。この溝は、斜面５１を形成する一本の溝に沿って、該一本の溝より深く形成される。また、上記所定の位置は、ＷＤＭユニット１０の光路Ｌ１とＷＤＭユニット１０の側面１０ａとの間に設定される。すなわち、ＷＤＭユニット１０の側面１０ｂから側面１０ａへエンドミルで切り通すのではなく、ＷＤＭユニット１０の側面１０ａ側においては段差部分１６ａを残すように加工することにより、段差部分１６ａとフィルタ載置面１６ｃとの間に端面１６ｂを設ける。
【００２９】
続いて、斜面１５も斜面１６と同様の手順により形成される。すなわち、図３（ｂ）に示されるように、まず、斜面１５の段差部分１５ａのための斜面５２が形成される（矢印Ａ３）。この斜面５２は、ＷＤＭフィルタ１１が設置されるフィルタ載置面１５ｃ（後に形成）と平行に、フィルタ載置面１５ｃから所定の距離ｈ２だけ離れた位置に形成される。この斜面５２は、例えばカットソーを用いて一本の溝として形成され、ＷＤＭユニット１０の側面１０ｂから側面１０ａにわたって直線的に形成される。次に、ＷＤＭフィルタ１１が設置される斜面（フィルタ載置面１５ｃ）が形成される（矢印Ａ４）。このフィルタ載置面１５ｃは、例えばエンドミルを用いて加工され、ＷＤＭユニット１０の側面１０ｂからＷＤＭユニット１０内部の所定の位置（端面１５ｂ）にわたる有限の溝として形成される。この溝は、斜面５１を形成する一本の溝に沿って、該一本の溝より深く形成される。また、上記所定の位置は、ＷＤＭユニット１０の光路Ｌ１とＷＤＭユニット１０の側面１０ａとの間に設定される。すなわち、ＷＤＭユニット１０の側面１０ｂから側面１０ａへエンドミルで切り通すのではなく、ＷＤＭユニット１０の側面１０ａ側においては段差部分１５ａを残すように加工することにより、段差部分１５ａとフィルタ載置面１５ｃとの間に端面１５ｂを設ける。
【００３０】
なお、上述したフィルタ載置面１５ｃ，１６ｃの形成において、加工の最初（ＷＤＭユニット１０の側面１０ｂ）からエンドミルを用いると時間が掛かるので、加工の途中までカットソーを用い、仕上げにエンドミルを用いる手法も有効である。また、斜面５１，５２を形成する際にエンドミルを用いてもよい。
【００３１】
本実施形態の光学モジュール１Ａによる第１の作用効果について、従来の光学モジュールの課題とともに説明する。図４は、従来の光学モジュールが有する課題を説明するための図であり、ＷＤＭユニット１００の側面１０１と、該側面１０１に接合される光デバイス１０２の輪郭とを示している。また、溝１０３は、光デバイス１０２とは反対側に配置される光デバイス（図示せず）と光結合されるＷＤＭフィルタを載置する斜面を含む溝であり、カットソーにより形成される。
【００３２】
従来の光学モジュールでは、ＷＤＭユニット１００と光デバイス１０２の金属製パッケージとをＹＡＧ溶接により接合する際、溝１０３が接合の妨げとなる。すなわち、溝１０３の底面（光デバイス載置面）は、カットソーによってＷＤＭユニット１００の一方の側面から他方の側面１０１にかけて平坦に形成され、且つ、側面１０１側が深くなるように傾斜して形成される。従って、光デバイス１０２が接合される側面１０１では、図４に示されるように、溝１０３が光デバイス１０２の設置範囲を超えて形成されてしまう（図のＢ部分）。このため、光デバイス１０２とＷＤＭユニット１００との接触領域が制限されてＹＡＧレーザＬＹＡＧを２点にしか照射できず、均等な角度（１２０°間隔）での３点溶接が困難となる。しかし、特に光デバイス１０２が送信デバイスである場合等には、ＴＯＳＡと同様に２μｍ程度の光軸固定精度が要求されるので、等角度の３点での溶接が望ましい。
【００３３】
図５（ａ）は、本実施形態のＷＤＭユニット１０が有する斜面１５，１６にＷＤＭフィルタ１１，１２が設置された様子を概略的に示す断面図である。また、図５（ｂ）は、このＷＤＭユニット１０の側面１０ａに送信デバイス３０が接合される様子を概略的に示す図であり、送信デバイス３０の輪郭を一点鎖線で示している。
【００３４】
図５に示されるように、本実施形態によれば、送信デバイス３０の金属製パッケージ及びＷＤＭユニット１０の側面１０ａに対し、等角度（１２０°間隔）に配置された３点Ｃ１〜Ｃ３においてＹＡＧ溶接を行うことが可能となる。更に、加工時間の短縮も可能となる。
【００３５】
なお、本実施形態において、フィルタ載置面１５ｃ，１６ｃがカットソーにより加工された場合には、端面１５ｂ，１６ｂの平面形状は矩形となる。一方、フィルタ載置面１５ｃ，１６ｃがエンドミルにより加工された場合には、端面１５ｂ，１６ｂの平面形状は円弧形を含む。ミル径が大きい場合には端面１５ｂ，１６ｂの全体が半円形となり、ミル径が小さい場合には端面１５ｂ，１６ｂの角部のみ円弧状（いわば面取形状）となる。加工時間を短縮するためには、光学系や光デバイスの組み立てが難しくならない範囲でミル径を大きくすることが好ましい。
【００３６】
次に、本実施形態の光学モジュール１Ａによる第２の作用効果について説明する。ＷＤＭフィルタやアイソレータ等の光学部品の価格は光学部品の面積に依存し、面積が小さいほど光学部品の価格を低くすることができる。光学部品に必要な面積（光学的面積）を小さくするためには、光学部品を光路のビームウェストの位置に精度良く配置することが好ましい。しかし、従来の光学モジュールでは、専用の治具を用いて光学部品を設置するので、光学部品を精度良く位置決めできるが、作業時間が長くなり作業効率が低く抑えられてしまう。
【００３７】
このような課題に対し、本実施形態の光学モジュール１Ａでは、斜面１５，１６に形成された端面１５ｂ，１６ｂにＷＤＭフィルタ１１，１２の縁を当接させて位置決めすることによって、治具を用いることなく簡易に且つ精度良くＷＤＭフィルタ１１，１２を位置決めすることができる。したがって、ＷＤＭフィルタ１１，１２の取り付け作業が容易となり、作業時間を短縮できる。図６は、エンドミル１１０、斜面１６の端面１６ｂ、及びＷＤＭフィルタ１２の相互の位置関係を示す図である。図６（ａ）には端面１６ｂ及びＷＤＭフィルタ１２が示されており、図６（ｂ）にはエンドミル１１０が示されている。図６に示されるように、エンドミル１１０の直径Ｄｅと、端面１６ｂの最深部の位置（すなわちＷＤＭユニット１０の側面１０ａからエンドミル停止位置までの距離）Ｌａは、ＷＤＭフィルタ１２の幅Ｗｆ、及び側面１０ａからＷＤＭフィルタ１２の一端までの距離Ｄｆに基づいて算出される。
【００３８】
なお、前述した第１の作用効果は、斜面１６に段差部分１６ａ及び端面１６ｂが形成されることによって好適に得られるが、本実施形態のように、斜面１６だけでなく斜面１５にも段差部分１５ａ及び端面１５ｂが形成されることによって、ＷＤＭフィルタの設置工程を簡便化できるという上述した第２の作用効果を斜面１５においても得ることができる。なお、斜面１５においては、端面１５ｂは連続的な円弧とはならず、その中央部が斜面１６により除去された形状となる。
【００３９】
本実施形態による光学モジュール１Ａの一実施例として、斜面１５，１６の寸法、及びＷＤＭフィルタ１１，１２の寸法の例を以下に示す。
斜面１５：カットソー幅２．０ｍｍ、エンドミル幅（Ｄｅ）２．０ｍｍ
斜面１６：カットソー幅１．６ｍｍ、エンドミル幅（Ｄｅ）１．６ｍｍ
ＷＤＭフィルタ１１：幅（Ｗｆ）２．０ｍｍ
ＷＤＭフィルタ１２：幅（Ｗｆ）１．２ｍｍ
【００４０】
上記のように、斜面１５，１６のそれぞれにおいて、カットソー幅とエンドミル幅とは互いに等しい。しかしながら、斜面１５，１６を構成する溝の深さ、及びそれらの端面１５ｂ、１６ｂの位置（加工終端位置）は、斜面１５，１６で互いに異なる。斜面１５について、その中央部には斜面１６による矩形状のエッジ（カットソー加工によるエッジ）を有するスリットが形成されており、当該スリットの左右に各々幅０．２ｍｍの平坦面が形成される。ＷＤＭフィルタ１１は、この平坦面上に搭載される。
【００４１】
また、斜面１６の中央には、光通過孔１８の光学開口（アパーチャ）が、楕円状の端面をもって形成されている。すなわち、光通過孔１８の光軸（軸Ｚ）に垂直な断面は円形であるが、斜面１６が光軸に対して４５°の角度でもって傾斜しているので、光通過孔１８の一端は楕円状の開口となる。該開口の短軸の長さは例えば１．２ｍｍであり、長軸の長さは例えば１．４１４〜２．２ｍｍである。従って、短軸側に片側０．２ｍｍの平坦面が形成され、当該平坦面上にＷＤＭフィルタ１２が搭載される。なお、ＷＤＭフィルタ１２の横幅Ｗｆ及び光通過孔１８の短軸長さは互いに同程度である場合には、ＷＤＭフィルタ１２の搭載精度が要求される。ＷＤＭフィルタ１２が何れか一方に寄った状態で上記平坦面上に搭載された場合、他方側では光通過孔１８がＷＤＭフィルタ１２から露出することとなり、漏洩光の原因となる。
【００４２】
続いて、本実施形態の光学モジュール１Ａによる第３の作用効果について説明する。光学モジュール１Ａを作製する際には、斜面１５，１６のフィルタ載置面１５ｃ，１６ｃ上に樹脂（ＵＶ硬化型、熱硬化型、またその併用型の樹脂）を塗布し、その上にＷＤＭフィルタ１１，１２を実装することができる。従来の光学モジュールでは、樹脂が硬化するまでは樹脂の粘度が小さいのでＷＤＭフィルタが所定の位置から動いてしまうことがある。
【００４３】
このような課題に対し、本実施形態の光学モジュール１Ａでは、端面１５ｂ、１６ｂの平面形状が円弧状の部分を含み、またＷＤＭフィルタ１１，１２の平面形状が矩形状であり、ＷＤＭフィルタ１１，１２の２つの角が端面１５ｂ、１６ｂに当接している。このような構成により、端面１５ｂ，１６ｂに当接したＷＤＭフィルタ１１，１２の側面と端面１５ｂ，１６ｂとの間に空隙（ギャップ）が形成されるので、このギャップが樹脂溜まりとして機能する。また、このギャップに溜まった樹脂は、端面１５ｂ，１６ｂとの表面張力によって端面１５ｂ，１６ｂ側に引っ張られるので、ＷＤＭフィルタ１１，１２の位置を安定させる作用もある。このように、本実施形態の光学モジュール１Ａによれば、ＷＤＭフィルタ１１，１２の位置が安定するので、ＷＤＭフィルタ１１，１２の外形寸法を小さくすることができ、ＷＤＭフィルタ１１，１２をより低コストにできる。
【００４４】
（変形例）
図７は、上記実施形態の一変形例として、ＷＤＭユニット６０の構成を示す切欠き斜視図である。また、図８は、ＷＤＭユニット６０の側断面図である。本変形例に係るＷＤＭユニット６０が上記実施形態のＷＤＭユニット１０と相違する点は、斜面１５，１６に加えて斜面６１（第３の斜面）を有する点である。斜面６１は光路Ｌ１と交差しており、この斜面６１上において、光学アイソレータ６２（例えば、マグネット不要型の自己保持型のもの）が光路Ｌ１と交差するように載置される。斜面６１は軸Ｚに対してわずかに傾斜している。なお、斜面６１の構成は、斜面１５，１６の構成と同様である。すなわち、斜面６１は、ＷＤＭユニット１０の側面１０ａと光路Ｌ１との間に凸状の段差部分６１ａを有し、この段差部分６１ａは側面１０ａに達している。また、光学アイソレータ６２は、段差部分６１ａの端面６１ｂに当接することによって位置決めされている。斜面６１は、斜面１５と斜面１６との間に形成されている。換言すれば、光学アイソレータ６２は、ＷＤＭフィルタ１１とＷＤＭフィルタ１２との間に配置される。本実施形態のＷＤＭユニット６０によれば、上述した実施形態による作用効果に加えて、更に光学アイソレータ６２を精度よく位置決めすることができる。
【００４５】
本変形例による光学モジュールの一実施例として、斜面１５，１６，及び６１の寸法、並びにＷＤＭフィルタ１１，１２、及び光学アイソレータ６２の寸法の例を以下に示す。
斜面１５：カットソー幅２．２ｍｍ、エンドミル幅２．２ｍｍ
斜面１６：カットソー幅１．４ｍｍ、エンドミル幅１．４ｍｍ
斜面６１：カットソー幅１．８ｍｍ、エンドミル幅１．８ｍｍ
ＷＤＭフィルタ１１：幅２．０ｍｍ
ＷＤＭフィルタ１２：幅１．２ｍｍ
光学アイソレータ６２：幅１．６ｍｍ、軸Ｚに垂直な平面に対する角度７°
【００４６】
本発明による光学モジュールは、上述した実施形態に限られるものではなく、他に様々な変形が可能である。例えば、上記実施形態では第１及び第２の光学部品としてＷＤＭフィルタを例示したが、本発明における第１及び第２の光学部品としては、例えば光学アイソレータや他の様々な光学部品を適用できる。
【００４７】
また、上記実施形態では光学モジュールが２つのＷＤＭフィルタを備える場合を例示したが、３つ以上のＷＤＭフィルタを備える場合であっても、本発明の構成を適用することにより、上記実施形態で述べた作用効果を好適に得ることができる。
【産業上の利用可能性】
【００４８】
本発明の光学モジュールは、例えば１０Ｇ−ＥＰＯＮのＯＬＴ用光学モジュールとして利用することができる。
【００４９】
ここで、１０Ｇ−ＥＰＯＮのＯＬＴ用光学モジュールに要求される性能は、次のとおりである。
・第１の送信デバイス：１０Ｇｂｐｓ（１．５７５μｍ〜１．５８０μｍ）及び１Ｇｂｐｓ（１．４８μｍ〜１．５０μｍ）のうち一方の送信
・第２の送信デバイス：１０Ｇｂｐｓ及び１Ｇｂｐｓのうち他方の送信
・受信デバイス：１０Ｇｂｐｓ（１．２６μｍ〜１．２８μｍ）及び１Ｇｂｐｓ（１．２６μｍ〜１．３６μｍ）のうち一方の受信、１０Ｇ／１Ｇデュアル受信、あるいは２．５Ｇｂｐｓ受信
【００５０】
なお、ＰＯＮシステムのＯＬＴ側の受信は、各ＯＮＵからの上り信号についてバースト信号での受信となる。特に、１０Ｇ−ＥＰＯＮシステムにおいては、各ＯＮＵからのバースト信号の速度が１０Ｇｂｐｓ及び１Ｇｂｐｓの間で切り替わる場合にも、これらのバースト信号を受信できることが要求される。
【００５１】
また、本発明の光学モジュールは、４０Ｇｂｐｓ（１０Ｇｂｐｓ×４波）通信や１００Ｇｂｐｓ（２５Ｇｂｐｓ×４波）の通信に用いられるＣＰＦ用光デバイスとして、４波合波系にも適用可能である。すなわち、４個の光デバイス全てが送信デバイスあるいは受信デバイスである場合であって、これらが一の光学モジュールに組み付けられる場合にも、上記構成の光学モジュールを適用できる。
【符号の説明】
【００５２】
１Ａ…光学モジュール、３…光ファイバ、１０，６０…ＷＤＭユニット、１０ａ，１０ｂ…側面、１１，１２…ＷＤＭフィルタ、１３…カットフィルタ、１５，１６…斜面、１５ａ，１６ａ…段差部分、１５ｂ，１６ｂ…端面、１５ｃ，１６ｃ…フィルタ載置面、１７…カットフィルタ搭載面、１８…光通過孔、１９…集光レンズ、２０，３０…送信デバイス、４０…受信デバイス、５１，５２…斜面。
【図１】
2012027329.tif 000003
【図２】
2012027329.tif 000004
【図３】
2012027329.tif 000005
【図４】
2012027329.tif 000006
【図５】
2012027329.tif 000007
【図６】
2012027329.tif 000008
【図７】
2012027329.tif 000009
【図８】
2012027329.tif 000010